(57)【要約】【課題】  遮光性と分解性に優れた感光記録材料用包装箱を提供すること。【解決手段】  外箱部３、内箱部５、蓋体部９から構成され、内箱部は上側に開口部１２を有し、内箱部の開口部側が外箱部から突出して蓋嵌合部１１を形成し、蓋嵌合部に蓋体部が嵌合することで内箱部内の遮光を維持する包装箱１において、外箱部の前面または背面には２本の平行なミシン線６１が最上端から最下端または下部まで形成され、２本のミシン線の間は破断部６３となっている。外箱部と内箱部とは破断部６３においてのみ接着されており、破断部を２本のミシン線６１に沿って破断することにより外箱部と内箱部とが分離可能である。【選択図】  図１
2007033480.tif 000002
【特許請求の範囲】
【請求項１】
前面と背面、２つの側面同士が各々正対して成り、それぞれが矩形断面である外箱部と、前面と背面、２つの側面同士が各々正対して成り、それぞれが矩形断面である内箱部と、蓋体部とから構成され、内箱部における前面、背面及び２つの側面が外箱部においてそれぞれ対応する前面、背面及び２つの側面の内側に隣接した状態で組み立てられ、内箱部は上側に開口部を有し、内箱部の開口部側が外箱部から突出して蓋嵌合部を形成し、該蓋嵌合部に前記蓋体部が嵌合することで内箱部内の遮光を維持する包装箱において、
前記外箱部の前面または背面には２本の平行なミシン線が最上端から最下端または下部まで形成され、前記２本のミシン線の間は破断部となっており、
前記外箱部と内箱部とは前記破断部においてのみ接着されており、前記破断部を２本のミシン線に沿って破断することにより前記外箱部と内箱部とが分離可能であることを特徴とする感光記録材料用包装箱。
【請求項２】
請求項１において、前記破断部が下側から上側へ向かって破断可能であることを特徴とする感光記録材料用包装箱。
【請求項３】
請求項１または２において、前記破断部は前記外箱部の前面または背面のほぼ中心線上に位置することを特徴とする感光記録材料用包装箱。
【請求項４】
請求項１〜３のいずれか１項において、前記破断部が前記外箱部の底面まで連続して延びており、前記破断部を破断するきっかけとなる指摘み部が前記外箱部の底面にあることを特徴とする感光記録材料用包装箱。
【請求項５】
請求項１〜３のいずれか１項において、前記破断部を破断するきっかけとなる指摘み部が前記外箱部の前面または背面の下側に位置することを特徴とする感光記録材料用包装箱。
【請求項６】
請求項１〜５のいずれか１項において、前記内箱部のフラップ同士が接着されていないことを特徴とする感光記録材料用包装箱。
【請求項７】
請求項１〜５のいずれか１項において、前記内箱部のフラップに点状に接着剤が塗布されて内箱部の形状が維持されていることを特徴とする感光記録材料用包装箱。
【請求項８】
請求項１〜７のいずれか１項において、前記内箱部の側面は２枚のフラップが重なって構成されており、前記２枚のフラップのうち内側に位置するフラップの外側辺には凸部が形成され、前記２枚のフラップのうち外側に位置するフラップを折るための折れ線上には、前記凸部と対応する位置に凸部が係合する溝部が形成されていることを特徴とする感光記録材料用包装箱。
【発明の詳細な説明】
【技術分野】
【０００１】
本発明は、Ｘレイフィルム等の感光記録材料の包装に適した包装箱に関する。
【背景技術】
【０００２】
Ｘレイフィルム等の感光記録材料を包装する包装箱は、暗室内で開封されるため易開封性が要求される。そこで例えば特許文献１や特許文献２に開示されているように、箱体の周囲にリッパー部を形成し、このリッパー部の端部に形成されたつまみ部を引っ張ることによりリッパー部が破断されて、箱体が開放される構造が既に提案されている。
【０００３】
一方、感光記録材料を包装する包装箱は、その遮光性を高めるために外箱と内箱とを組み合わせて構成することが好ましい。しかし外箱と内箱とから構成される包装箱は、使用後の包装箱を廃棄するときに潰して平坦にすることが困難である。また外箱及び内箱の形態を維持するためにそれぞれのフラップが糊付けされ、外箱と内箱との一体性を維持するために両者も糊付けされている。そのため外箱と内箱をそれぞれ分解して平坦にするには多くの労力と時間を必要とする。
【０００４】
【特許文献１】特開平８−１１４８８９号公報
【特許文献２】特開２００２−１６０７２９号公報
【発明の開示】
【発明が解決しようとする課題】
【０００５】
そこで従来の包装箱が有している上記の問題点を考慮して、本発明は、遮光性と分解性に優れた感光記録材料用包装箱を提供することを課題とした。
【課題を解決するための手段】
【０００６】
本発明者は鋭意検討を重ねた結果、以下の構成を有する本発明の感光記録材料用包装箱によれば上記の課題を解決しうることを見い出した。
【０００７】
本発明の感光記録材料用包装箱は、前面と背面、２つの側面同士が各々正対して成り、それぞれが矩形断面である外箱部と、前面と背面、２つの側面同士が各々正対して成り、それぞれが矩形断面である内箱部と、蓋体部とから構成され、内箱部における前面、背面及び２つの側面が外箱部においてそれぞれ対応する前面、背面及び２つの側面の内側に隣接した状態で組み立てられ、内箱部は上側に開口部を有し、内箱部の開口部側が外箱部から突出して蓋嵌合部を形成し、該蓋嵌合部に前記蓋体部が嵌合することで内箱部内の遮光を維持する包装箱において、前記外箱部の前面または背面には２本の平行なミシン線が最上端から最下端または下部まで形成され、前記２本のミシン線の間は破断部となっており、前記外箱部と内箱部とは前記破断部においてのみ接着されており、前記破断部を２本のミシン線に沿って破断することにより前記外箱部と内箱部とが分離可能であることことを特徴とするものである（第１の態様）。
【０００８】
上記発明において、前記破断部が下側から上側へ向かって破断可能であってもよい（第２の態様）。
また上記発明において、前記破断部は前記外箱部の前面または背面のほぼ中心線上に位置していてもよい（第３の態様）。
また上記発明において、前記破断部が前記外箱部の底面まで連続して延びており、前記破断部を破断するきっかけとなる指摘み部が前記外箱部の底面にあってもよい（第４の態様）。
また上記発明において、前記破断部を破断するきっかけとなる指摘み部が前記外箱部の前面または背面の下側に位置していてもよい（第５の態様）。
【０００９】
また上記発明において、前記内箱部のフラップ同士は接着されていなくてもよい（第６の態様）。
また上記発明において、前記内箱部のフラップに点状に接着剤が塗布されて内箱部の形状が維持されていてもよい（第７の態様）。
また上記発明において、前記内箱部の側面は２枚のフラップが重なって構成されており、前記２枚のフラップのうち内側に位置するフラップの外側辺には凸部が形成され、前記２枚のフラップのうち外側に位置するフラップを折るための折れ線上には、前記凸部と対応する位置に凸部が係合する溝部が形成されていてもよい（第８の態様）。
【発明の効果】
【００１０】
第１の態様によれば、指摘み部を指で摘んで破断部を強く引っ張ることにより、外箱部の２本のミシン線が破断し、これに伴い内箱部に接着している破断部が破断する。破断部が全て破断されることで外箱部と内箱部とは接着している部分がなくなるため分離可能となるから、包装箱を外箱部と内箱部とに分けて容易に分解して廃棄することができる。
第２の態様によれば、包装箱の蓋体部の開閉時などに使用者が誤って破断部の上端側を破断し、そこから包装箱の内部に光が侵入することを防止することができる。また蓋嵌合部に隣接する外箱の上辺付近に外箱と内箱との接着部分を設けることができるので、外箱が内箱から浮き上がることを防止できる。
【００１１】
第３の態様によれば、外箱が内箱に対してほぼ中心線上で接着されるようになるから、外箱が内箱から浮き上がることをより有効に防止することができる。
第４の態様によれば、指摘み部を起こし易く、また底面から前面または背面に掛けて一連に破断することができるため、外箱部と内箱部とを分離しやすい。
第５の態様によれば、自動製箱が容易であり、また指摘み部の位置を使用者に認識させやすい。
【００１２】
第６の態様によれば、外箱部から内箱部を分離した後に、内箱部の分解が容易となる。
第７の態様によれば、製箱の工程適性が良く、また内箱部の分解性も良い。
第８の態様によれば、内箱部の組み立て時に凸部が溝部に係合することで、内箱部に斜め方向の力が掛かった場合に内箱の変形を防止することができる。
【発明を実施するための最良の形態】
【００１３】
以下において、本発明の感光記録材料用包装箱（以下、包装箱という）について、図面を参照しながら詳細に説明する。
【００１４】
図１は、本発明に係る包装箱１を示す斜視図であり、包装箱１は外箱部３、内箱部５及び蓋体部９から構成されている。外箱部３及び内箱部５は別個の部材で構成され、それぞれ前面と背面及び２つの側面同士が各々正対して成り、それぞれが矩形断面を有する。尚、本明細書において前面と背面の語は説明の便宜上区別するために付けた名称であり、包装箱１のいずれを前面または背面とするかは本発明に関して本質的な問題ではない。因みに本実施形態では、後述する筋押し線３９の形成されている側を前面としている。
【００１５】
内箱部５の上部分は、外箱部３の上端から突出しており、その部分に蓋嵌合部１１が形成されている。蓋嵌合部１１には蓋体部９が嵌合可能であり、蓋体部９の嵌合時には内箱部５内の遮光が維持される。蓋嵌合部１１の上端には、内箱部内に収容される感光記録材料などを包装した内装袋Ｍを取り出すための開口部１２が形成されている。
【００１６】
内箱部５は一例として図５に示すような展開図１３を組み立てて構成されている。展開図１３において破線１５は谷折れ線を示し、一点鎖線１７は展開図１３の中心線を示す。
【００１７】
蓋嵌合部１１は、図１において正面側を向いた内箱前面１９と、内箱前面１９に対向する内箱背面２１と、図１中、内箱前面１９の右側において内箱前面１９と内箱背面２１とを接続する接続側板２３と、図１中、内箱前面１９の左側において内箱前面１９と内箱背面２１との間に形成される空間を覆う被覆部２５とから構成されている。
【００１８】
接続側板２３は、図５の展開図１３におけるフラップ２７とフラップ２９とが重なった状態で構成されており、両フラップの少なくとも上部分が接着されることで固定状態となっている。被覆部２５は、図５の展開図１３におけるフラップ３１がフラップ３３の外側に位置するように折り曲げられ、これら互い同士が隣接して重なっているが、フラップ３１とフラップ３３との間は接着されていない。展開図１３におけるフラップ３１とフラップ３３は、組み立て時にはそれぞれ外側フラップ３５及び内側摺動フラップ３７となっている。上述のように蓋嵌合部１１の一方が開放できないように固定されているため、この固定されている側から蓋体部９を被せ易いという特徴を有する。
【００１９】
蓋嵌合部１１の内箱前面１９には、接続側板２３との境界の上端から内側摺動フラップ３７の下端付近に掛けて、下に凸に湾曲した曲線の筋押し線３９が形成されており、この筋押し線３９より上側の内箱前面１９には、筋押し線３９に沿って折れることにより外方へ開放可能な開放フラップ４１が形成されている。筋押し線３９の被覆部２５側は、内箱前面１９と内側摺動フラップ３７との境界線４０に対してほぼ直交するように形成されている。これにより、筋押し線３９を何回も折り曲げたときに、筋押し線３９と、境界線４０との接続部分が傷むことを防止している。また開放フラップ４１の上辺４４は、内箱前面１９の接続側板２３側から被覆部２５側へ掛けて低くなるように傾斜しており、上述したように蓋嵌合部１１の固定された側から蓋体部９を被せた後で、被覆部２５側へ蓋体部９を被せていくときに蓋を被せやすくしている。開放フラップ４１の上辺４４には、開放フラップ４１を外側に開く際に指を掛けるための指掛け切り欠き４２が形成されている。
【００２０】
内側摺動フラップ３７の外縁３８は湾曲しており、開放フラップ４１を内側に押し込んだときに、開放フラップ４１の内側摺動フラップ３７側の面が内箱前面１９よりも内側に折り曲がることができるように、展開図１３においてフラップ３１とフラップ３３の外縁線５０の延長線より内側に切り欠かれている（図５の符号４３で示す領域を参照）。このような構成を採用することにより、固定されている接続側板２３側から蓋体部９を斜めに被せた後、被覆部２５側へ蓋体部９を被せてくるときに、開放フラップ４１の内側摺動フラップ３７側が内側に変形可能で、その部分の幅が一時的に狭くなるため、蓋体部９を容易に蓋嵌合部１１に被せることができるようになる。
【００２１】
次に本発明の特徴的構成について説明する。外箱部３は、外箱前面５１と、外箱背面５３と、外箱前面５１及び外箱背面５３をそれらの両側で接続する左右の外箱側面５５、５７及び外箱底面５９から構成されている。外箱前面５１の左寄りには、上端から下端を介して外箱底面５９の外箱背面５３側に掛けて平行に延びる２本のリッパー状のミシン線６１が形成されており、これら２本のミシン線６１の間には破断部６３が形成されている。外箱底面５９の外箱背面５３側には破断部６３の下側の端部が形成され、ここに指摘み部６５が形成されている。そして外箱部３は内箱部５の蓋嵌合部１１よりも下側の周囲を包囲する状態で、破断部６３においてのみ外箱部３と内箱部５とが接着剤６７で接着されている。これにより包装箱１の組み立て状態では、外箱部３と内箱部５とが分離することが防止される一方、破断部６３を破断したときには、外箱部３と内箱部５との唯一の接着部分が剥がされるため、外箱部３と内箱部５とを容易に分離できるようになる。
【００２２】
尚、本発明では指摘み部６５が包装箱１の下側に設けられており、下側から上側に向かって破断する構造となっているから、包装箱１の蓋体部９の開閉時などに使用者が誤って破断部６３の上端側を破断し、そこから包装箱１の内部に光が侵入することを防止することができる。また蓋嵌合部１１に隣接する外箱前面５１の上辺位置で内箱前面１９に対して外箱が接着することができるので、外箱前面５１が内箱前面１９から浮き上がることを防止できる。図８には、指摘み部６５のバリエーションを示す。図８では指摘み部６５の先端が外箱前面５１の下方に設けられており、切欠部６６に指を入れて指摘み部６５を上方に引くことにより破断部６３を破断する。
【００２３】
次に本発明の感光記録材料用包装箱の作用について説明する。図１に示すように蓋体部９を取り去った状態で、使用者は指掛け切り欠き４２に指を掛けて外側へ引くことにより、筋押し線３９に沿って開放フラップ４１の左側が大きく開放する。使用者は、この開放した部分から感光記録材料の内装袋Ｍの上端を指で掴み、容易に内装袋Ｍを取り出すことができる。また内装袋Ｍから感光記録材料を取り出した後、内装袋Ｍを再度包装箱１に収納する場合には、内装袋Ｍを包装箱に入れ、まず蓋体部９下側の開口部分を、固定された接続側板２３側に斜めに差し込む。このとき接続側板２３側では開放フラップ４１が外側に開いていないため、容易に蓋体部９を被せることができる。次に斜めの蓋体部９を図１の左側に被せていく。これにより仮に開放フラップ４１が外側に開き気味であっても、開放フラップ４１が自然に内側へ閉じていき、蓋体部９を容易に蓋嵌合部１１に被せることが可能となる。
【００２４】
次に内装袋Ｍ内の感光記録材料を使い切り、包装箱１を廃棄する場合には、図３に示すように指摘み部６５を指で摘み、そのまま図３の矢印６９で示すように上方へ強く引っ張ることにより、２本のミシン線６１が破断し始める。
【００２５】
図４に示すように２本のミシン線６１により破断部６３が完全に破断されると、外箱部３と内箱部５との接着部分６７が剥がされているので、外箱部３を開くようにして内箱部５から容易に分離できるようになる。外箱部３を内箱部５から分離したら、各々を別々に平坦な形状に分解することができるので、使用後の包装箱１を容易に廃棄することができる。
【００２６】
次に本発明の包装箱の他の実施形態について説明する。上記実施形態では破断部６３が外箱前面５１の左寄りに形成されているが、外箱前面５１のほぼ中心線上に位置するように破断部６３を形成してもよい。このような位置に破断部６３を形成すれば、外箱前面５１が内箱前面１９に対してほぼ中心線上で接着されるようになるから、外箱前面５１が内箱前面１９から浮き上がることをより有効に防止することができる。また破断部６３は外箱前面５１ではなく、外箱背面５３に形成してもよい。
【００２７】
指摘み部６５に関して、上記実施形態では外箱底面５９に形成されているが、指摘み部６５の存在を使用者に認識しやすくするために、図６に示すように指摘み部６５を外箱前面５１の下端位置あるいは下方の位置に設けてそこから上方へ破断していく構成を採用することもできる。破断部６３を下向きに破断するように形成することは加工上の手間が掛かる上、分解時も手間が掛かるのでなるべく上向きに破断するように構成することが望ましいが、破断部６３を下向きに破断するように形成することも可能である。また外箱前面５１の途中に指摘み部６５を設けて、上向きと下向きとに破断部６３を破断する構成であってもよい。
【００２８】
内箱部５に関して、上記実施形態では、接続側板２３の少なくとも上部分が接着されることで固定状態となっているが、このような接着部分は接着剤を点状に設けて分解時に容易に分解できるようにすることが好ましい。更に、内箱部５は外箱部３によって周囲を囲まれており、その形状維持が可能であるから、内箱部５に一切接着部分を設けずに易分解性を高めるようにすることもできる。
【００２９】
また図７の内箱部の展開図に示すように、組み立て時に内箱部の側面を構成する両側各２枚ずつのフラップのうち内側に位置するフラップ２７、３３の外側辺７１にそれぞれ凸部７３を形成し、２枚ずつのフラップのうち外側に位置するフラップ２９、３１を折るための谷折れ線７５上には、各凸部７３と対応する位置に凸部７３が係合する溝部７７を形成するようにしてもよい。このような構成を採用することにより、内箱部の組み立て時に凸部７３が溝部７７に係合することで、内箱部に斜め方向の力が掛かった場合に内箱の変形を防止することができる。
【産業上の利用可能性】
【００３０】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００３１】
【図１】本発明の感光記録材料用包装箱の一実施形態の斜視図である。
【図２】本発明の感光記録材料用包装箱の一実施形態の底面図である。
【図３】本発明の感光記録材料用包装箱の分解途中の様子を示す斜視図である。
【図４】本発明の感光記録材料用包装箱の分解終了時の様子を示す斜視図である。
【図５】本発明の感光記録材料用包装箱の一実施形態の内箱部の展開図である。
【図６】指摘み部の位置を変えた他の実施形態を示す斜視図である。
【図７】本発明の感光記録材料用包装箱の他の実施形態を示す内箱部の展開図である。
【図８】指摘み部の先に切欠部を有する態様を示す平面図である。
【符号の説明】
【００３２】
１  感光記録材料用包装箱
３  外箱部
５  内箱部
９  蓋体部
１１  蓋嵌合部
１２  開口部
１３  展開図
１５  破線
１７  一点鎖線
１９  内箱前面
２１  内箱背面
２３  接続側板
２５  被覆部
２７  フラップ
２９  フラップ
３１  フラップ
３３  フラップ
３５  外側フラップ
３７  内側摺動フラップ
３８  内側摺動フラップの外縁
３９  筋押し線
４０  内箱前面と内側摺動フラップとの境界線
４１  開放フラップ
４２  指掛け切り欠き
４３  切り欠かれた領域
４４  開放フラップの上辺
５０  フラップの外縁線
５１  外箱前面
５３  外箱背面
５５  外箱側面
５７  外箱側面
５９  外箱底面
６１  ミシン線
６３  破断部
６５  指摘み部
６７  接着剤
６９  矢印
７１  内側フラップの外側辺
７３  凸部
７５  外側フラップの谷折れ線
７７  溝部
Ｍ  感光記録材料の内装袋
【図１】
2007033480.tif 000003
【図２】
2007033480.tif 000004
【図３】
2007033480.tif 000005
【図４】
2007033480.tif 000006
【図５】
2007033480.tif 000007
【図６】
2007033480.tif 000008
【図７】
2007033480.tif 000009
【図８】
2007033480.tif 000010